(57)【要約】      （修正有）【課題】仮設ガードレールを重ねることができる仮設ガードレール用重ね治具を提供する。【解決手段】仮設用の基礎部材２と、この基礎部材２に立設した複数の支柱４と、これら複数の支柱４に取り付けられたビーム３とを備えた仮設ガードレール１を重ねる仮設ガードレール用重ね治具３１である。重ね治具３１は、支柱４の側面に固定されたブラケット１１及び取付板１２に載置される中央前側板下縁部３４Ｆ及び中央後側板下縁部３５Ｆと、上面４１Ｊに載置した台木を位置決めする左、右側板延設部３６Ｕを備えるから、下部をブラケット１１及び取付板１２に載置して支柱４の上端に重ね治具３１を設け、この重ね治具３１の上面４１Ｊに台木を載置し、幅方向に並設した仮設ガードレール１の重ね治具３１により支持された台木に、上段の仮設ガードレール１を載置することができる。【選択図】図３
0003232493.tif 000002
【実用新案登録請求の範囲】
【請求項１】
仮設用の基礎部材と、この基礎部材の長さ方向に間隔を置いて立設した複数の支柱と、これら複数の支柱に取り付けられ、前記長さ方向に長いガード部材とを備えた仮設ガードレールを重ねる仮設ガードレール用重ね治具であって、
前記支柱の上端に着脱可能に設けられ、
前記支柱の側面に固定された固定部材に載置される載置部と、
上段の前記仮設ガードレールを載置する梁部材が載置される梁受け部と、
前記梁受け部に載置した前記梁部材を位置決めする位置決め部とを備えることを特徴とする仮設ガードレール用重ね治具。
【請求項２】
前記支柱を挟んだ両側に前記固定部材が設けられており、前記両側の固定部材に載置する前記載置部を両側に備えることを特徴とする請求項１記載の仮設ガードレール用重ね治具。
【請求項３】
前記ガード部材がビームであり、
前記固定部材の少なくも一方が、前記支柱に前記ビームを取り付けた取付部材であることを特徴とする請求項２記載の仮設ガードレール用重ね治具。
【請求項４】
４つの側板部を有する角筒部を備え、
下部に前記支柱の上端を挿入する下開口部を有し、
前記側板部の下縁部が前記固定部材に載置する前記載置部であることを特徴とする請求項３記載の仮設ガードレール用重ね治具。
【請求項５】
４つの側板部を有する角筒部を備え、
下部に前記支柱の上端を挿入する下開口部を有し、
前記取付部材は、前記支柱に前記ビームを取り付けたブラケットと、このブラケットと前記支柱に挿通された横方向のボルトに螺合され、該ブラケットと前記支柱を挟む位置に配置されたナットであり、
前記ブラケット側の前記側板部の下縁部が、前記ブラケットに載置するブラケット載置部であり、
前記ブラケット側の前記側板部に対向するナット側の前記側板部の下縁部が、前記ナットに載置するナット載置部であることを特徴とする請求項３記載の仮設ガードレール用重ね治具。
【請求項６】
前側板部，後側板部，左側板部及び右側板部を有する角筒部を備え、
下部に前記支柱の上端を挿入する下開口部を有し、
前記基礎部材の幅方向の片側に前記ビームを設けた第１の前記仮設ガードレールと、前記幅方向の両側に前記ビームを設けた第２の前記仮設ガードレールとに選択的に設けられ、
前記位置決め部は、前記梁受け部の左右に突設されると共に、前記梁部材を左右から挟む挟み部材であり、
前記第１の仮設ガードレールは、前記幅方向からブラケットと取付板が前記支柱を挟んで該支柱の側面に固定されており、前記ブラケットが前記取付部材であり、前記取付板が前記固定部材であり、前記取付板の上部は前記長さ方向で且つ横方向に形成されており、
前記第２の仮設ガードレールは、前記支柱を挟んで前記長さ方向両側に配置されると共に前記支柱の側面に固定された前記幅方向の間隔材を備え、これら両側の間隔材は前記長さ方向に間隔を置いて配置されていると共に、前記両側の間隔材の上部は横方向に形成され、前記間隔材の前記幅方向の端部に両側の前記ビームが固定されており、
前記左，右側板部の前記載置部たる下縁部の後側を前記取付板の上部に載置すると共に前記前側板部の下縁部を前記ブラケットの上部に載置した状態で、前記梁受け部が横方向になるように、該前側板部の下縁部の中央側を下方に延設して、前記ブラケットの上部に載置する前記載置部たる中央前側板下縁部を形成すると共に、この中央前側板下縁部の両側の左，右前側板下縁部を前記左，右側板部の下縁部と同一高さに形成し、
前記後側板部の下縁部の中央側を下方に延設して、前記取付板の上部外面側に配置される中央後側板下縁部を形成すると共に、前記中央後側板下縁部の両側の左，右後側板下縁部を前記左，右側板部の下縁部と同一高さに形成し、
前記中央前側板下縁部及び前記中央後側板下縁部は前記両側の間隔材の間に挿入可能な左右幅を有し、前記中央前側板下縁部及び前記中央後側板下縁部を、前記両側の間隔材の間に挿入した状態で、前記両側の間隔材の上部に、前記左，右側板部の前記載置部たる下縁部が載置可能に構成したことを特徴とする請求項３記載の仮設ガードレール用重ね治具。
【考案の詳細な説明】
【技術分野】
【０００１】
本考案は、移動可能な仮設ガードレールを重ね合わせるために用いる仮設ガードレール用重ね治具に関する。
【背景技術】
【０００２】
従来、この種のものとして、Ｈ形鋼基礎部材と、このＨ形鋼基礎部材に立設された複数の支柱と、これら支柱にボルト・ナットなどの取付部材により取り付けたビームとを備えた仮設ガードレール（例えば特許文献１）があり、この仮設ガードレールでは、運搬や保管を簡便に行うことができる。
【０００３】
また、支柱に取り付けられる取付部材たる間隔材の先端に、レール本体（ガード部材に相当）の中央突条が嵌合せる切欠係合部を設け、且つこの切欠係合部の縁から直角に突設する取付片を前記間隔材と一体に折り曲げ形成して、前記切欠係合部の所に嵌合するレール本体中央突条と、この内側面に接合する前記取付片とを、ボルト止めしてレール本体を取り付けるようになしてなるガードレール（例えば特許文献２）がある。
【０００４】
上記特許文献２のガードレールでは、両側にレール本体を設けることにより、中央分離帯用として用いることができ、また、支柱を特許文献１のＨ形鋼基礎部材に取り付ければ、仮設用として使用することもできる。
【０００５】
ところで、上記仮設ガードレールを運搬・収納する場合、ガードレールを上下に重ね合わせれば、スペースを取らずに、効率よく、車載・収納することができる。
【０００６】
これに対して、施工現場での仮設防護柵の置き場所不足を解消を目的として、上方に開口する凹部が形成された基礎架台と、基礎架台のフランジ部とウェブ部に固定され、平面視でコ字形状で、ウェブ部の幅よりも小さな幅を有する定着部材と、ガードレール（ガイド部材に相当）が取り付けられる回動部材の筒体（支柱に相当）とを備えた仮設防護柵（例えば特許文献３）がある。
【０００７】
上記仮設防護柵では、回動部材を倒伏状態にすることにより、基礎架台を上下に重ね合わせることができ、スペースを取らずに収納することができる。
【０００８】
しかし、支柱に相当する筒体を、使用時の起立状態と収納時の倒伏状態に切り替えるため、構造が複雑になり易く、また、その都度、起立状態と倒伏状態の間で切替作業が必要になるため、設置・収納作業に時間が掛かるという問題がある。
【０００９】
また、ガードレールとは分野が異なるが、支柱の上部間にベースを設けた門型のパレットにより、部材を多段に設けるもの（例えば特許文献４）があるが、パレットが大型のため、パレットの運搬などに手間が掛かるという問題がある。
【先行技術文献】
【特許文献】
【００１０】
【特許文献１】実用新案登録第３０７３３０３号公報
【特許文献２】特開平９−４９２１６号公報
【特許文献３】特開２０１９−３９２４９号公報
【特許文献４】特開２０００−１４２６９３号公報
【考案の概要】
【考案が解決しようとする課題】
【００１１】
そこで、本考案は、上記問題点を解決するものであり、仮設ガードレールを重ねることができる仮設ガードレール用重ね治具を提供することを目的とする。
【課題を解決するための手段】
【００１２】
請求項１の考案は、仮設用の基礎部材と、この基礎部材の長さ方向に間隔を置いて立設した複数の支柱と、これら複数の支柱に取り付けられ、前記長さ方向に長いガード部材とを備えた仮設ガードレールを重ねる仮設ガードレール用重ね治具であって、前記支柱の上端に着脱可能に設けられ、記支柱の側面に固定された固定部材に載置される載置部と、上段の前記仮設ガードレールを載置する梁部材が載置される梁受け部と、前記梁受け部に載置した前記梁部材を位置決めする位置決め部とを備えることを特徴とする。
【００１３】
請求項２の考案は、前記支柱を挟んだ両側に前記固定部材が設けられており、前記両側の固定部材に載置する前記載置部を両側に備えることを特徴とする。
【００１４】
請求項３の考案は、前記ガード部材がビームであり、前記固定部材の少なくも一方が、前記支柱に前記ビームを取り付けた取付部材であることを特徴とする。
【００１５】
請求項４の考案は、４つの側板部を有する角筒部を備え、下部に前記支柱の上端を挿入する下開口部を有し、前記側板部の下縁部が前記固定部材に載置する前記載置部であることを特徴とする。
【００１６】
請求項５の考案は、４つの側板部を有する角筒部を備え、下部に前記支柱の上端を挿入する下開口部を有し、前記取付部材は、前記支柱に前記ビームを取り付けたブラケットと、このブラケットと前記支柱に挿通された横方向のボルトに螺合され、該ブラケットと前記支柱を挟む位置に配置されたナットであり、前記ブラケット側の前記側板部の下縁部が、前記ブラケットに載置するブラケット載置部であり、前記ブラケット側の前記側板部に対向するナット側の前記側板部の下縁部が、前記ナットに載置するナット載置部であることを特徴とする。
【００１７】
請求項６の考案は、前側板部，後側板部，左側板部及び右側板部を有する角筒部を備え、下部に前記支柱の上端を挿入する下開口部を有し、前記基礎部材の幅方向の片側に前記ビームを設けた第１の前記仮設ガードレールと、前記幅方向の両側に前記ビームを設けた第２の前記仮設ガードレールとに選択的に設けられ、前記位置決め部は、前記梁受け部の左右に突設されると共に、前記梁部材を左右から挟む挟み部材であり、前記第１の仮設ガードレールは、前記幅方向からブラケットと取付板が前記支柱を挟んで該支柱の側面に固定されており、前記ブラケットが前記取付部材であり、前記取付板が前記固定部材であり、前記取付板の上部は前記長さ方向で且つ横方向に形成されており、前記第２の仮設ガードレールは、前記支柱を挟んで前記長さ方向両側に配置されると共に前記支柱の側面に固定された前記幅方向の間隔材を備え、これら両側の間隔材は前記長さ方向に間隔を置いて配置されていると共に、前記両側の間隔材の上部は横方向に形成され、前記間隔材の前記幅方向の端部に両側の前記ビームが固定されており、前記左，右側板部の前記載置部たる下縁部の後側を前記取付板の上部に載置すると共に前記前側板部の下縁部を前記ブラケットの上部に載置した状態で、前記梁受け部が横方向になるように、該前側板部の下縁部の中央側を下方に延設して、前記ブラケットの上部に載置する前記載置部たる中央前側板下縁部を形成すると共に、この中央前側板下縁部の両側の左，右前側板下縁部を前記左，右側板部の下縁部と同一高さに形成し、前記後側板部の下縁部の中央側を下方に延設して、前記取付板の上部外面側に配置される中央後側板下縁部を形成すると共に、前記中央後側板下縁部の両側の左，右後側板下縁部を前記左，右側板部の下縁部と同一高さに形成し、前記中央前側板下縁部及び前記中央後側板下縁部は前記両側の間隔材の間に挿入可能な左右幅を有し、前記中央前側板下縁部及び前記中央後側板下縁部を、前記両側の間隔材の間に挿入した状態で、前記両側の間隔材の上部に、前記左，右側板部の前記載置部たる下縁部が載置可能に構成したことを特徴とする。
【考案の効果】
【００１８】
請求項１の構成によれば、複数の仮設ガードレールを幅方向に並設し、支柱の側面の固定部材に、重ね治具の載置部を載置して支柱の上端に重ね治具を設け、この重ね治具の梁受け部に梁部材を載置し、幅方向に並設した仮設ガードレールの重ね治具により支持された梁部材に、上段の仮設ガードレールを載置して仮設ガードレールを上下多段に重ねることができる。
【００１９】
請求項２の構成によれば、重ね治具の両側の載置部を、支柱両側の固定部材に載置することにより、重ね治具を支柱の上端に安定して設けることができる。
【００２０】
請求項３の構成によれば、支柱などを加工する必要がなく、支柱にビームを取り付ける取付部材を利用して支柱の上端に重ね治具を設けることができる。
【００２１】
請求項４〜６の構成によれば、側板部の下縁部を載置部とすることにより、載置部として別部材を取り付けるなどの加工が不要となり、加工が容易となり、また、角筒部を有するから強度的に優れたものとなる。
【００２２】
請求項５の構成によれば、支柱にビームを取り付けるブラケットとナットに重ね治具の両側の側板部の下縁部を載置することにより、支柱の上端に重ね治具を安定して設けることができる。
【００２３】
請求項６の構成によれば、片側にビームを設けた第１の仮設ガードレールと、両側にビームを設けた第２の仮設ガードレールとに、共通する重ね治具を選択的に設けることができ、第１と第２の仮設ガードレールの支柱の上端にそれぞれ重ね治具を安定して設けることができる。
【００２４】
また、第１と第２の仮設ガードレールの両者において、ガードレールの長さ方向に重ね治具の前後方向を合わせて用いることができるため、位置決め手段である左，右側板延設部により、梁部材をその幅方向から挟んで該梁部材を位置決めすることができる。
【図面の簡単な説明】
【００２５】
【図１】本考案の実施例１を示す斜め上方から見た重ね治具の斜視図である。
【図２】同上、斜め下方から見た重ね治具の斜視図である。
【図３】同上、使用状態の側面図である。
【図４】同上、使用状態の要部の平面図である。
【図５】同上、使用状態の背面図である。
【図６】本考案の実施例２を示す使用状態の側面図である。
【図７】同上、使用状態の要部の平面図である。
【図８】同上、使用状態の要部の正面図である。
【図９】本考案の実施例３を示す斜め上方から見た重ね治具の斜視図である。
【図１０】同上、斜め下方から見た重ね治具の斜視図である。
【図１１】同上、使用状態の側面図である。
【図１２】同上、重ねた状態の側面図である。
【図１３】本考案の実施例４を示す斜め下方から見た重ね治具の斜視図である。
【図１４】同上、使用状態の側面図である。
【考案を実施するための形態】
【００２６】
本考案における好適な実施の形態について、添付図面を参照しながら詳細に説明する。
【実施例１】
【００２７】
図１〜図５は本考案の実施例１を示す。同図に示すように、仮設ガードレール用重ね治具を用いる仮設ガードレール１は、Ｈ形鋼からなる仮設用の基礎部材２と、金属製で波形状のガード部材たるビーム３と、複数の支柱４，４とを有する。前記基礎部材２は、両側のフランジ部５，５をウエブ部６により連結してなり、仮設場所において、該ウエブ部６を横向きにして設置される。それら両側フランジ部５，５の一側縁が、長さ方向に連続した接地下端縁５Ｆ，５Ｆとなる。
【００２８】
すなわち、それら接地下端縁５Ｆ，５Ｆが仮設場所の道路などに接して置かれる。また、前記ビーム３の長さ方向端部には湾曲部（図示せず）が設けられ、該ビーム３は前記Ｈ形鋼基礎部材２とほぼ同一長さであり、例えば５メートル程度である。また、前記支柱４は、前記ウエブ部６の上面に一体に突設されると共に、ガードレール１の長さ方向に間隔を置いて複数配置されている。
【００２９】
前記支柱４の断面は円形であって、その支柱４の上端にはキャップ７が取り付けられており、このキャップ７の頭部７Ｈは、凸状の湾曲面に形成されている。
【００３０】
また、前記支柱４に取付部材たるブラケット１１により前記ビーム３が取り付けられており、前記ブラケット１１は、支柱４に固定された固定部材でもある。また、前記支柱４を挟んで、前記ブラケット１１と、固定部材たる平板状の取付板１２と、が配置されている。
【００３１】
前記ブラケット１１は、帯板を屈曲形成してなり、前記基礎部材２の長さ方向に配置され、正面形状が矩形状で支柱４に対応して湾曲状に形成された背部２０と、この背部２０の両端から略垂直に外側に延びる接続部２１，２１と、これら接続部２１，２１の両端から略垂直に互いに離れる方向に延びる接続鍔部２２，２２を有している。
【００３２】
前記背部２０の中央部に透孔２０Ｔが穿設され、接続鍔部２２，２２の中央部に透孔（図示せず）が穿設されている。また、前記取付板１２の上部中央には、透孔１２Ｔが穿設されている。
【００３３】
そして、ブラケット１１と取付板１２により支柱４を挟んだ状態で、ブラケット１１の中央の透孔２０Ｔと、支柱４の側面の対向する透孔（図示せず）と、前記取付板１２の透孔１２Ｔに、横方向のボルト１３を挿通し、このボルト１３にワッシャ１４を介してナット１５を螺合することにより、支柱４にブラケット１１と取付板１２の上部が固定される。
【００３４】
また、前記接続鍔部２２，２２の外面に前記ビーム３の内面を当接した状態で、外側からビーム３の透孔（図示せず）と接続鍔部２２，２２の前記透孔にボルト（図示せず）を挿通し、このボルトにナット（図示せず）を螺合することにより、ブラケット１１にビーム３が取り付けられる。
【００３５】
さらに、前記取付板１２の下部外面に、アングル２５を横方向に配置すると共に、支柱４の下部に係止したＵボルト２６の両端部を、前記アングル２５及び取付板１２に挿通し、そのＵボルト２６の両端部にナット２７，２７を螺合して固定している。
【００３６】
また、前記取付板１２には、被取付物たるネットフェンス（図示せず）を着脱可能に固定するための透孔１２Ｔが複数穿設され、前記ネットフェンスの下部を前記アングル２５に載置した状態で、ボルト（図示せず）をネットフェンスと透孔１２Ｔに挿通し、そのボルトにナット（図示せず）を螺合することにより、取付板１２にネットフェンスを取り付けることができ、取付状態で、ネットフェンスの上部は支柱４の上端より上方に位置する。
【００３７】
仮設ガードレール用重ね治具（以下、重ね治具という）３１は、金属板を加工し、メッキ処理してなり、角筒部３２を備え、この重ね治具３１の下部には前記支柱４の上部を挿入する下開口部３３が設けられている。尚、前記角筒部３２は前側板部３４，後側板部３５及左，右側板部３６，３６を有する。また、各側板部（そくばんぶ）３４，３５，３６，３６の下縁は横方向に形成されている。
【００３８】
前記前側板部３４の下縁部の中央側を他の側板部３５，３６，３６の下縁部より下方に延設して載置部たる中央前側板下縁部３４Ｆを形成し、また、前記後側板部３５の下縁部の中央側を左，右側板部３６，３６の下縁部３６Ｆ，３６Ｆより下方に延設して載置部たる中央後側板下縁部３５Ｆを形成し、さらに、左，右側板部３６，３６の下縁部３６Ｆ，３６Ｆを同一高さ位置に形成している。尚、前記中央後側板下縁部３５Ｆを前記取付板１２の上部外面側に配置した状態で、左，右側板部３６，３６の載置部たる下縁部３６Ｆ，３６Ｆの後側が、前記取付板１２の上縁部に載置される。
【００３９】
前記前側板部３４の前記中央前側板下縁部３４Ｆの左右に、前記左，右下縁部３６Ｆ，３６Ｆの前側に連続する左，右前側板下縁部３４ＬＦ，３４ＲＦを形成し、また、前記後側板部３５の前記中央後側板下縁部３５Ｆの左右に、前記左，右下縁部３６Ｆ，３６Ｆの後側に連続する左，右後側板下縁部３５ＬＦ，３５ＲＦを形成している。
【００４０】
また、連続する左前側板下縁部３４ＬＦと左の下縁部３６Ｆと左後側板下縁部３５ＬＦとは同一高さをなし、連続する右後側板下縁部３５ＲＦと右の下縁部３６Ｆと右後側板下縁部３５ＲＦとは同一高さをなす。尚、左，右下縁部３６Ｆ，３６Ｆの高さは同一である。
【００４１】
前記角筒部３２の上部に横方向の上板部４１を設け、この上板部４１は角筒部３２の上部開口を塞いで横方向に設けられている。また、前記上板部４１の位置から前記左，右側板部３６，３６の上縁を上部に延設して、挟み部材たる左，右側板延設部３６Ｕ，３６Ｕを設けている。
【００４２】
そして、前記上板部４１の上面４１Ｊが、梁部材たる断面角型の台木４２が載置される梁受け部である。また、前記左，右側板延設部３６Ｕ，３６Ｕは、前記上板部４１に載置された台木４２をその幅方向両側から挟んで、該台木４２の幅方向位置を位置決めする位置決め部である。
【００４３】
そして、左，右側板部３６，３６の下縁部３６Ｆ，３６Ｆの後側を、前記取付板１２の上縁部に載置すると共に、前記中央前側板下縁部３４Ｆを両側の前記接続部２１，２１の上縁部に載置した状態で、前記上面４１Ｊが横方向になるように、前記前側板部３４の中央前側板下縁部３４Ｆを、前記取付板１２の上部と前記ブラケット１１の接続部２１の上部の高さの差だけ下方に延設している。
【００４４】
前記左，右側板延設部３６Ｕ，３６Ｕの上面４１Ｊからの高さ寸法は、前記左，右側板延設部３６Ｕ，３６Ｕの間隔に比べて小さく、断面略正方形の台木４２を前記上板部４１に載置すると、前記左，右側板延設部３６Ｕ，３６Ｕの上縁より台木４２の上面が上となる。また、前記左，右側板延設部３６Ｕ，３６Ｕには、その中央側に透孔４３，４３が穿設されており、これら透孔４３，４３にフックなどの吊り具（図示せず）を係止して重ね治具３１を吊り卸しすることができる。
【００４５】
また、図５に示すように、両側の前記透孔４３，４３に対応して、前記台木４２に貫通孔４２Ｋを穿設し、両側の透孔４３，４３と貫通孔４２Ｋにボルト（図示せず）を挿通し、このボルトにナット（図示せず）を螺合することにより、重ね治具３１に台木４２を着脱可能に固定することができる。尚、図５に示すように、前記取付板１２は縦長な長方形形状をなす。
【００４６】
前記上板部４１の左右方向一側寄りには、前後に間隔を置いて透孔４１Ｔ，４１Ｔが穿設されている。これら透孔４１Ｔ，４１Ｔは溶融亜鉛メッキ液を通すために設けられており、前記透孔４３，４３を用いて吊った状態で、透孔４１Ｔ，４１Ｔから溶融亜鉛メッキ液が落下することより、上板部４１とこれに近接する一方の側板延設部３６Ｕの角部３６Ｋに溶融亜鉛メッキ液が余分に溜まることを防止し、上板部４１などに均一な厚さでメッキ層を形成することができる。
【００４７】
次に、前記重ね治具３１の使用方法について説明する。図３に示すように、支柱４の上端に重ね治具３１を被せるようにして、一側方向である前後方向の前側に位置する前側板部３４の下縁部３４Ｆを、ブラケット１１の接続部２１，２１の上縁部に載置し、後側に位置する左，右側板部３６，３６の下縁部３６Ｆ，３６Ｆの後側を、取付板１２の上縁に載置すると共に、中央後側板下縁部３５Ｆを取付板１２の上部外面側に係止又は近接して配置し、これにより支柱４に対して重ね治具３１が回り止め状態で設けられる。
【００４８】
こうすることにより、両側のブラケット１１と取付板１２に重ね治具３１の両側板下部が載置され、支柱４の上部に重ね治具３１を安定的に設けられることができる。
【００４９】
複数の仮設ガードレール１を幅方向に並設すると共に、対応するそれぞれの支柱４，４・・・に重ね治具３１，３１・・・を設け、前記幅方向に並設した複数の重ね治具３１，３１・・・に連続して台木４２を載置し、また、複数、例えば長さ方向両側の支柱４に台木４２を配置し、これら台木４２，４２上に２段目の仮設ガードレール１を並設することができる。
【００５０】
このように本実施例では、請求項１に対応して、仮設用の基礎部材２と、この基礎部材２の長さ方向に間隔を置いて立設した複数の支柱４と、これら複数の支柱４，４に取り付けられ、前記長さ方向に長いガード部材たるビーム３とを備えた仮設ガードレール１を重ねる仮設ガードレール用重ね治具であって、支柱４の上端に着脱可能に設けられ、支柱４の側面に固定された固定部材たるブラケット１１及び取付板１２に載置される載置部たる中央前側板下縁部３４Ｆ及び中央後側板下縁部３５Ｆと、上段の仮設ガードレール１を載置する梁部材たる台木４２が載置される梁受け部たる上面４１Ｊとを備え、上面４１Ｊに載置した台木４２を位置決めする位置決め部たる左，右側板延設部３６Ｕ，３６Ｕを設けたから、複数の仮設ガードレール１，１を幅方向に並設し、支柱４の側面のブラケット１１及び取付板１２に、重ね治具３１の下部を載置して支柱４の上端に重ね治具３１を設け、この重ね治具３１の上面４１Ｊに台木４２を載置し、幅方向に並設した仮設ガードレール１，１の重ね治具３１，３１により支持された台木４２に、上段の仮設ガードレール１を載置して仮設ガードレール１を上下多段に重ねることができる。
【００５１】
このように本実施例では、請求項２に対応して、支柱４を挟んだ両側に固定部材たるブラケット１１と取付板１２が設けられており、両側の固定部材たるブラケット１１と取付板１２に載置する載置部たる中央前側板下縁部３４Ｆと中央後側板下縁部３５Ｆを両側に備えるから、重ね治具３１の下部両側の下縁部３４Ｆ，３５Ｆを、支柱４の両側のブラケット１１と取付板１２に載置することにより、重ね治具３１を支柱４の上端に安定して設けることができる。
【００５２】
このように本実施例では、請求項３に対応して、ガード部材がビーム３であり、固定部材たるブラケット１１と取付板１２の少なくも一方であるブラケット１１が、支柱４にビーム３を取り付けた取付部材であるから、支柱４などを加工する必要がなく、支柱４にビーム３を取り付けるブラケット１１を利用して支柱４の上端に重ね治具３１を設けることができる。
【００５３】
このように本実施例では、請求項４に対応して、４つの側板部３４，３５，３６，３６を有する角筒部３２を備え、下部に支柱４の上端を挿入する下開口部３３を有し、側板部たる前側板部３４，後側板部３５の下縁部３４Ｆ，３５Ｆが固定部材たるブラケット１１，取付板１２に載置する載置部であるから、側板部の下縁部を載置部とすることにより、載置部として別部材を取り付けるなどの加工が不要となり、重ね治具３１の加工が容易となり、また、角筒部３２を有するから強度的に優れたものとなる。
【実施例２】
【００５４】
図６〜図８は本考案の実施例２を示し、上記実施例１と同一部分に同一符号を付し、その説明を省略して詳述する。この例では、実施例１の重ね治具３１を、両側にビーム３，３を設けた仮設ガードレール１Ａに用いている。そして、実施例１の仮設ガードレール１が第１の仮設ガードレールであり、本実施例２の仮設ガードレール１Ａが第２の仮設ガードレールである。
【００５５】
前記仮設ガードレール１Ａは、取付部材である２つの断面コ字形の間隔材５１，５１を備え、この間隔材５１は、ガードレール１Ａの幅方向に長い垂直部５２を有すると共に、この垂直部５２の上下縁を外側に折り曲げた水平縁部５３，５３を有し、各間隔材５１，５１を、それぞれを背中合わせにして、前記垂直部５２，５２により支柱４の上部側面を挟んだ状態で、それら垂直部５２，５２と支柱４を貫通するボルト５４に、ナット５５を螺合することで、間隔材５１，５１が該支柱４の側面に固定されている。このように両側の間隔材５１，５１は前記長さ方向に間隔を置いて配置され、また、両側の間隔材５１，５１の上部の水平縁部５３，５３は横方向に形成されている。尚、図８においては、ボルト５４及びナット５５を図示省略している。
【００５６】
前記垂直部５２の両側縁は、前記ビーム３の内面に係合する形状をなし、その垂直部５２の両側縁にビーム３の長さ方向に向いた取付片５６が設けられている。尚、支柱４の両側の間隔材５１，５１の取付片５６は、支柱４から離れる方向に突設されている。
【００５７】
そして、垂直部５２の両側縁を両側のビーム３，３の内面に係合すると共に、両側の取付片５６，５６を、両側のビーム３，３の内面に当接し、外側からビーム３の透孔（図示せず）と取付片５６の透孔５６Ｔにボルト（図示せず）を挿通し、このボルトにナット（図示せず）を螺合することにより、間隔材５１，５１の両側にビーム３，３が固定される。
【００５８】
また、中央前側板下縁部３４Ｆと中央後側板下縁部３５Ｆは、前記両側の間隔材５１，５１の間に挿入可能な左右幅を有する。
【００５９】
次に、前記重ね治具３１の使用方法について説明する。ガードレール１Ａに対して、実施例１と前後左右同じ向きで重ね治具３１を使用することができ、図６に示すように、支柱４の上端に重ね治具３１を被せるようにして、下縁部３４Ｆ，３５Ｆを間隔材５１，５１の間に挿入し（図８）、左側板部３６の載置部たる下縁部３６Ｆを一方の間隔材５１の水平縁部５３に載置すると共に、右側板部３６の載置部たる下縁部３６Ｆを他方の間隔材５１の水平縁部５３に載置し（図８）、支柱４の上端に重ね治具３１を設ける。
【００６０】
このように下縁部３４Ｆ，３５Ｆを間隔材５１，５１の間に挿入することにより、支柱４の上端に重ね治具３１が回り止め状態で設けられる。
【００６１】
このように重ね治具３１は第１及び第２の仮設ガードレール１，１Ａにそのまま設けることができ、しかも、位置決め部たる左，右側板延設部３６Ｕ，３６Ｕの向きも変わらず、両ガードレール１，１Ａに兼用して使用できる。
【００６２】
また、重ね治具３１は、コンパクトで保管場所に広いスペースを必要としない。さらに、重ね治具３１を支柱４の上部に被せるようにして配置し、仮設ガードレール１を多段に重ねることができ、保管場所を有効に活用できる。また、仮設ガードレール１の納入・引取りの際、重ね治具３１がコンパクトであるため、門型のパレットなどに比べて、重ね治具３１の運搬が容易となり、保管、仮置き、納入・設置、撤去・仮置場への移動・工場への返却などの一連の作業に重ね治具３１を用いることができる。
【００６３】
このように本実施例でも請求項１〜４に対応して上記実施例１と同様な作用・効果を奏する。
【００６４】
このように本実施例では、請求項６に対応して、前側板部３４，後側板部３５，左側板部３６及び右側板部３６を有する角筒部３２を備え、下部に支柱４の上端を挿入する下開口部３３を有し、基礎部材２の幅方向の片側にビーム３を設けた第１の仮設ガードレール１と、前記幅方向の両側にビーム３，３を設けた第２の仮設ガードレール１Ａとに選択的に設けられ、位置決め部は、梁受け部たる上面４１Ｊの左右に突設されると共に、梁部材たる台木４２を左右から挟む挟み部材たる左，右側板延設部３６Ｕ，３６Ｕであり、第１の仮設ガードレール１は、前記基礎部材２の幅方向からブラケット１１と取付板１２が支柱４を挟んで該支柱４の側面に固定されており、ブラケット１１が前記取付部材であり、取付板１２が前記固定部材であり、取付板１２の上部は前記基礎部材２の長さ方向で且つ横方向に形成されており、第２の仮設ガードレール１Ａは、支柱４を挟んで前記長さ方向両側に配置されると共に支柱４の側面に固定された前記幅方向の間隔材５１，５１を備え、これら両側の間隔材５１，５１は前記長さ方向に間隔を置いて配置されていると共に、両側の間隔材５１，５１の上部たる水平縁部５３は横方向に形成され、間隔材５１の前記幅方向の端部に両側のビーム３，３が固定されており、左，右側板部３６，３６の前記載置部たる下縁部３６Ｆ，３６Ｆの後側を取付板１２の上部に載置すると共に前側板部３４の下縁部をブラケット１１の上部に載置した状態で、梁受け部たる上面４１Ｊが横方向になるように、該前側板部３４の下縁部の中央側を下方に延設して、ブラケット１１の上部に載置する前記載置部たる中央前側板下縁部３４Ｆを形成すると共に、この中央前側板下縁部３４Ｆの両側の左，右前側板下縁部３４ＬＦ，３４ＲＦを左，右側板部３６，３６の下縁部３６Ｆ，３６Ｆと同一高さに形成し、後側板部３５の下縁部の中央側を下方に延設して、取付板１２の上部外面側に配置される中央後側板下縁部３５Ｆを形成すると共に、中央後側板下縁部３５Ｆの両側の左，右後側板下縁部３５ＬＦ，３５ＲＦを左，右側板部３６，３６の下縁部３６Ｆ，３６Ｆと同一高さに形成し、中央前側板下縁部３４Ｆ及び中央後側板下縁部３５Ｆは両側の間隔材５１，５１の間に挿入可能な左右幅を有し、中央前側板下縁部３４Ｆ及び中央後側板下縁部３５Ｆを、両側の間隔材５１，５１の間に挿入した状態で、両側の間隔材５１，５１の上部たる水平縁部５３，５３に左，右側板部３６，３６の前記載置部たる下縁部３６Ｆ，３６Ｆが載置可能に構成したから、片側にビーム３を設けた第１の仮設ガードレール１と、両側にビーム３，３を設けた第２の仮設ガードレール１Ａとに、共通する重ね治具３１を選択的に設けることができ、第１と第２の仮設ガードレール１，１Ａの支柱の上端にそれぞれ重ね治具３１を安定して設けることができる。
【００６５】
また、第１と第２の仮設ガードレール１，１Ａの両者において、ガードレール１，１Ａの幅方向に重ね治具３１の前後方向を合わせて用いることができるため、位置決め手段である左，右側板延設部３６Ｕ，３６Ｕにより、台木４２をその幅方向から挟んで該台木４２を位置決めすることができる。
【実施例３】
【００６６】
図９〜図１２は本考案の実施例３を示し、上記各実施例と同一部分に同一符号を付し、その説明を省略して詳述する。
【００６７】
仮設ガードレール１Ｂは、前記ブラケット１１に比べて上下幅が狭いブラケット１１Ａが用いられている。
【００６８】
また、重ね治具３１Ａは、前記前側板部３４の下縁部３４Ｆ´を左，右側板部３６，３６の下縁部３６Ｆ，３６Ｆと同一高さに形成し、下縁部３６Ｆ，３４Ｆ´，３６Ｆが連続する。
【００６９】
また、取付板１２を用いることなく、支柱４を挿通した前記ボルト１３に前記ワッシャ１４を介して前記ナット１５を螺合している。このように、この例のナット１５は支柱４にビーム３を取り付けるものであるから、取付部材である。
【００７０】
また、前記前側板部３４の載置部たる下縁部３４Ｆ´が両接続部２１，２１の上縁部に当接する状態で、前記後側板部３５の載置部たる中央後側板下縁部３５Ｆが前記ナット１５に当接するように、前側板部３４の下縁部３４Ｆ´と後側板部３５の下縁部３５Ｆの高さが設定されている。
【００７１】
次に、前記重ね治具３１Ａの使用方法について説明する。図１１に示すように、支柱４の上端に重ね治具３１Ａを被せるようにして、前後方向の前側に位置する前側板部３４の下縁部３４Ｆ´をブラケット１１の接続部２１，２１の上縁部に載置すると共に、後側板部３５の下縁部３５Ｆを前記ナット１５に載置する。
【００７２】
そして、図１２に示すように、複数の仮設ガードレール１Ｂを幅方向に並設すると共に、対応するそれぞれの支柱４，４・・・に重ね治具３１Ａを設け、前記幅方向に並設した複数の重ね治具３１Ａ，３１Ａ・・・に連続して台木４２を載置し、また、複数、例えば長さ方向両側の支柱４，４に台木４２，４２を配置し、これら台木４２，４２上に２段目の仮設ガードレール１Ｂを並設することができる。
このように本実施例では、請求項１〜４に対応して、上記各実施例と同様な作用・効果を奏する。
【００７３】
また、このように本実施例では、請求項５に対応して、４つの側板部３４，３５，３６，３６を有する角筒部３２を備え、下部に支柱４の上端を挿入する下開口部３３を有し、取付部材は、支柱４にビーム３を取り付けたブラケット１１と、このブラケット１１と支柱４に挿通された横方向のボルト１３に螺合され、該ブラケット１１と支柱４を挟む位置に配置されたナット１５であり、ブラケット側の側板部である前側板部３４の下縁部３４Ｆ´が、ブラケット１１に載置するブラケット載置部であり、ブラケット側の側板部たる前側板部３４に対向するナット側の側板部たる後側板部３５の下縁部たる中央後側板下縁部３５Ｆが、ナット１５に載置するナット載置部であるから、支柱４にビーム３を取り付けるブラケット１１とナット１５に、重ね治具３１の前，後側板部３４，３５の下縁部３４Ｆ´，３５Ｆを載置することにより、支柱４の上端に重ね治具３１Ａを安定して設けることができる。
【実施例４】
【００７４】
図１３〜図１４は本考案の実施例４を示し、上記各実施例と同一部分に同一符号を付し、その説明を省略して詳述する。この例では、実施例１のガードレール１に用いる重ね治具の変形例である。
【００７５】
この例の重ね治具３１Ｂは、実施例１の前記重ね治具３１において、前記後側板部３５には前記中央後側板下縁部３５Ｆは設けられておらず、前記後側板部３５の下縁部３５Ｆ´と同一高さの左，右側板部３６，３６の後側の左，右後側板下縁部３６ＬＢ，３６ＲＢが、前記取付板１２の上縁部に載置される。また、前記前側板部３４の中央前側板下縁部３４Ｆが前記ブラケット１１の接続部２１，２１の上縁部に載置される。
【００７６】
このように重ね治具３１Ｂの前後の下部を、支柱４の前後のブラケット１１と取付板１２に載置した状態で、前記左，右側板部３６，３６の下部を下方に延設して、前記ブラケット１１と取付板１２の間に挿入する中央左側板下縁部３６Ｆ´と中央右側板下縁部３６Ｆ´が設けられており、これら中央左側板下縁部３６Ｆ´と中央右側板下縁部３６Ｆ´を前記ブラケット１１と取付板１２の間に挿入することにより、支柱４の上端に重ね治具３１Ｂが回り止め状態で設けられる。
【００７７】
このように本実施例でも請求項１〜４に対応して上記実施例１と同様な作用・効果を奏する。
【００７８】
尚、本考案は、本実施例に限定されるものではなく、本考案の要旨の範囲内で種々の変形実施が可能である。例えば、固定部材及び取付部材は、実施例に限定されず、支柱の側面に取り付けられるものであれば各種のものを用いることができる。また、ガード部材は、ビーム以外でも、長さ方向のガードパイプなどでもよい。さらに、梁部材の位置決め部も実施例に限定されず、例えば、台木に設けた縦孔に挿入して位置決めするものなどでもよい。また、下開口部は、角筒部の下開口部に限定されず、例えば、対向する側板部の間の開口部でもよい。さらに、梁部材の一例である台木の材質は木製に限らず、例えば特開２０００−２８１１２０号公報のように合成樹脂製や、他の材質のものでもよい。また、実施例では、下縁部が直線状のものを示したが、固定部材に載置可能であれば、凹凸や湾曲あってもよい。さらに、実施例では、中央前側板下縁部が低く、これより中央後側板下縁部が高い例を示したが、支柱両側の固定部材の上部の高さに対応して、中央前側板下縁部が中央後側板下縁部より高くしたり、中央前側板下縁部と中央後側板下縁部を同じ高さにしたりしてもよい。
【符号の説明】
【００７９】
１  仮設ガードレール（第１の仮設ガードレール）
１Ａ  仮設ガードレール（第２の仮設ガードレール）
１Ｂ  仮設ガードレール
２  基礎部材
３  ビーム（ガード部材）
４  支柱
１１  ブラケット（取付部材・固定部材）
１２  取付板（固定部材）
１５  ナット（取付部材・固定部材）
３１，３１Ａ，３１Ｂ  重ね治具
３２  角筒部
３３  下開口部
３４  前側板部
３４Ｆ  中央前側板下縁部（載置部・ブラケット載置部）
３４Ｆ´  下縁部（載置部・ブラケット載置部）
３４ＬＦ，３４ＲＦ  左，右前側板下縁部
３５  後側板
３５Ｆ  中央後側板下縁部（載置部・ナット載置部）
３５Ｆ´  下端部（載置部）
３５ＬＦ，３５ＲＦ  左，右後側板下縁部
３６，３６  左，右側板部
３６Ｆ，３６Ｆ  載置部
３６ＬＢ，３６ＲＢ  左，右後側板下縁部（載置部）
３６Ｕ，３６Ｕ  左，右側板延設部（位置決め部・挟み部材）
４１Ｊ  上面（梁受け部）
４２  台木（梁部材）
５１  間隔材（取付部材・固定部材）
５３  水平縁部（間隔材の上部）
【図１】
0003232493.tif 000003
【図２】
0003232493.tif 000004
【図３】
0003232493.tif 000005
【図４】
0003232493.tif 000006
【図５】
0003232493.tif 000007
【図６】
0003232493.tif 000008
【図７】
0003232493.tif 000009
【図８】
0003232493.tif 000010
【図９】
0003232493.tif 000011
【図１０】
0003232493.tif 000012
【図１１】
0003232493.tif 000013
【図１２】
0003232493.tif 000014
【図１３】
0003232493.tif 000015
【図１４】
0003232493.tif 000016